(57)【特許請求の範囲】
【請求項１】
被測定者から放出される放射線を測定する体表面モニタにおいて、
放射線検出器を備えた足下面部と、
前記被測定者が位置できる間隔よりも大きく前記足下面部から離れて、その足下面部の上方に対向して配置された天井面部と、
前記天井面部を所定の位置に支持する支持手段と、
前記足下面部と前記天井面部との間に配置されて放射線検出器を備えた前面部と、
前記足下面部と前記天井面部との間に前記被測定者が位置できる間隔よりも大きく前記前面部から離れるように対向して配置されて放射線検出器を備えた背面部と、
放射線検出器を備えて、前記足下面部、前記天井面部、前記前面部および前記背面部で囲まれる空間の一部を、入口扉回転軸を中心に回動して開閉可能な入口扉と、
放射線検出器を備えて、前記足下面部、前記天井面部、前記前面部、前記背面部および閉じた状態の前記入口扉で囲まれる空間を、出口扉回転軸を中心に回動して開閉可能な出口扉と、
前記入口扉よりも上方であって前記天井面部よりも低い位置に配置されて前記入口扉回転軸を中心に回動可能な、放射線検出器を備えた入口側頭上面部と、
前記出口扉よりも上方であって前記天井面部よりも低い位置に配置されて前記出口扉回転軸を中心に回動可能な、放射線検出器を備えた出口側頭上面部と、
を有することを特徴とする体表面モニタ。
【請求項２】
前記入口側頭上面部を前記入口扉回転軸に沿って昇降させる第１の頭上面昇降機構と、
前記出口側頭上面部を前記出口扉回転軸に沿って昇降させる第２の頭上面昇降機構と、
を有することを特徴とする請求項１記載の体表面モニタ。
【請求項３】
前記足下面部は、足下面入口部、足下面中央部および足下面出口部に分割されていて、
前記天井面部は、天井面入口部、天井面中央部および天井面出口部に分割されていて、
前記足下面中央部、前記天井面中央部、前記前面部、前記背面部および前記支持手段は、一体となった中央ユニットを形成し、
前記足下面入口部、前記天井面入口部および前記入口扉は、一体となって、前記中央ユニットに着脱可能な入口扉ユニットを形成し、
前記足下面出口部、前記天井面出口部および前記出口扉は、一体となって、前記中央ユニットに着脱可能な出口扉ユニットを形成し、
ていることを特徴とする請求項１または請求項２記載の体表面モニタ。
【請求項４】
前記支持手段は、
前記足下面部から前記天井面部に延びる少なくとも２本の円筒を備えて前記前面部が取り付けられた前面フレームと、
前記足下面部から前記天井面部に延びる少なくとも２本の円筒を備えて前記背面部が取り付けられた背面フレームと、
を有し、
前記前面部および前記背面部は、同一の検出器ユニットを備えていることを特徴とする請求項１ないし請求項３のいずれか１項記載の体表面モニタ。
【請求項５】
前記前面フレームおよび前記背面フレームは、前記検出器ユニットを保持できるフレーム側固定部を備えていて、
前記検出器ユニットは、その検出器ユニットを前記フレーム側固定部に着脱可能にする検出器ユニット固定機構を備えていることを特徴とする請求項４記載の体表面モニタ。
【請求項６】
被測定者から放出される放射線を測定する体表面モニタの製造方法において、
天井面部、ならびに、放射線検出器をそれぞれ備えた足下面部、前面部、背面部、入口扉、出口扉、入口側頭上面部および出口側頭上面部を製造する工程と、
前記天井面部を、前記被測定者が位置できる間隔よりも大きく前記足下面部から離れて、その足下面部の上方に対向して配置する工程と、
前記前面部を、前記足下面部と前記天井面部との間に配置する工程と、
前記背面部を、前記足下面部と前記天井面部との間に前記被測定者が位置できる間隔よりも大きく前記前面部から離れるように対向して配置する工程と、
前記入口扉を、前記足下面部、前記天井面部、前記前面部および前記背面部で囲まれる空間を入口扉回転軸を中心に回動してその入口扉で開閉可能なように組み立てる工程と、
前記出口扉を、前記足下面部、前記天井面部、前記前面部、前記背面部および閉じた状態の前記入口扉で囲まれる空間を出口扉回転軸を中心に回動してその出口扉で開閉可能なように組み立てる工程と、
前記入口側頭上面部を、前記入口扉よりも上方であって前記天井面部よりも低い位置に、前記入口扉回転軸を中心に回動可能なように組み立てる工程と、
前記出口側頭上面部を、前記出口扉よりも上方であって前記天井面部よりも低い位置に、前記出口扉回転軸を中心に回動可能なように組み立てる工程と、
を有することを特徴とする体表面モニタの製造方法。
【発明の詳細な説明】
【技術分野】
【０００１】
本発明は、原子力施設等で用いられる人体表面の放射能汚染を測定する体表面モニタおよびその製造方法に関する。
【背景技術】
【０００２】
原子力発電所、および、その関連施設は大規模化が進んでおり、多数の作業者が全身放射能汚染を短時間で測定処理する必要性が高くなってきた。このため、作業者の全身放射能汚染を全自動で測定ができるようになっている。
【０００３】
作業者（被測定者）の全身放射能汚染測定は、第１段階で被測定者が体表面モニタ内に入り、第２段階で測定を行い、第３段階で測定者が体表面モニタから出る、の３つの段階に分けられる。第２段階での測定の際には、放射線測定器が被測定者の体の周囲（前面、背面、左右側面、頭上面、左右足下面）に配置されている必要がある。このため、体表面モニタにおいては、箱型構造の本体の入口扉および出口扉に左右側面用の放射線検出器が収納されているのが通例である。また、入口扉および出口扉は、回転軸を中心に回動することによって開閉し、被測定者が対表面モニタに入ること、および、出ることが可能になっている（たとえば特許文献１および特許文献２参照）。
【特許文献１】実開昭６０−９５５６７号公報
【特許文献２】特開平４−２１６４８８号公報
【発明の開示】
【発明が解決しようとする課題】
【０００４】
被測定者の頭上面に位置する検出器は、被測定者の身長に合わせて上昇／下降するため、被測定者が退出するためには、頭上面検出器が上昇するまで待つ必要があり、処理時間において無駄時間が発生している。頭上部の昇降位置によっては、側頭部の汚染を十分に測定できない場合がある。また、側頭部が実際の体表面から距離が離れており汚染が測定しづらい。
【０００５】
そこで、本発明は、放射線測定に要する時間を短くする体表面モニタおよびその製造方法を提供することを目的とする。
【課題を解決するための手段】
【０００６】
上述の目的を達成するため、本発明は、被測定者から放出される放射線を測定する体表面モニタにおいて、放射線検出器を備えた足下面部と、前記被測定者が位置できる間隔よりも大きく前記足下面部から離れて、その足下面部の上方に対向して配置された天井面部と、前記天井面部を所定の位置に支持する支持手段と、前記足下面部と前記天井面部との間に配置されて放射線検出器を備えた前面部と、前記足下面部と前記天井面部との間に前記被測定者が位置できる間隔よりも大きく前記前面部から離れるように対向して配置されて放射線検出器を備えた背面部と、放射線検出器を備えて、前記足下面部、前記天井面部、前記前面部および前記背面部で囲まれる空間の一部を、入口扉回転軸を中心に回動して開閉可能な入口扉と、放射線検出器を備えて、前記足下面部、前記天井面部、前記前面部、前記背面部および閉じた状態の前記入口扉で囲まれる空間を、出口扉回転軸を中心に回動して開閉可能な出口扉と、前記入口扉よりも上方であって前記天井面部よりも低い位置に配置されて前記入口扉回転軸を中心に回動可能な、放射線検出器を備えた入口側頭上面部と、前記出口扉よりも上方であって前記天井面部よりも低い位置に配置されて前記出口扉回転軸を中心に回動可能な、放射線検出器を備えた出口側頭上面部と、を有することを特徴とする。
【０００７】
また、本発明は、被測定者から放出される放射線を測定する体表面モニタの製造方法において、放射線検出器をそれぞれ備えた足下面部、天井面部、前面部、背面部、入口扉、出口扉、入口側頭上面部および出口側頭上面部を製造する工程と、前記天井面部を、前記被測定者が位置できる間隔よりも大きく前記足下面部から離れて、その足下面部の上方に対向して配置する工程と、前記前面部を、前記足下面部と前記天井面部との間に配置する工程と、前記背面部を、前記足下面部と前記頭上面部との間に前記被測定者が位置できる間隔よりも大きく前記前面部から離れるように対向して配置する工程と、前記入口扉を、前記足下面部、前記天井面部、前記前面部および前記背面部で囲まれる空間を入口扉回転軸を中心に回動してその入口扉で開閉可能なように組み立てる工程と、前記出口扉を、前記足下面部、前記天井面部、前記前面部、前記背面部および閉じた状態の前記入口扉で囲まれる空間を出口扉回転軸を中心に回動してその出口扉で開閉可能なように組み立てる工程と、前記入口側頭上面部を、前記入口扉よりも上方であって前記天井面部よりも低い位置に、前記入口扉回転軸を中心に回動可能なように組み立てる工程と、前記出口側頭上面部を、前記出口扉よりも上方であって前記天井面部よりも低い位置に、前記出口扉回転軸を中心に回動可能なように組み立てる工程と、を有することを特徴とする。
【発明の効果】
【０００８】
本発明によれば、放射線測定に要する時間を短くできる。
【発明を実施するための最良の形態】
【０００９】
本発明に係る体表面モニタの実施の形態を、図面を参照して説明する。なお、同一または類似の構成には同一の符号を付し、重複する説明は省略する。
【００１０】
［第１の実施の形態］
図１は、本発明に係る第１の実施の形態における体表面モニタの斜視図である。図２は、第１の実施の形態における体表面モニタの天井面部をはずして見た上面図である。図３は、第１の実施の形態における体表面モニタの側面図である。
【００１１】
本実施の形態の体表面モニタは、水平に広がる四角の平板状の足下面部７および天井面部９を有している。足下面部７と天井面部９は、被測定者３１が入る空間を形成するように上下に対向して配置されている。
【００１２】
足下面部７と天井面部９の間には、２本の円柱状の前面フレーム１４１と、２本の円筒（パイプ）状の背面フレーム１４２が鉛直方向に延びている。前面フレーム１４１および背面フレーム１４２には、それぞれ上下に配列された３つの検出器ユニット１０１が取り付けられている。前面フレーム１４１および背面フレーム１４２に、それぞれ取り付けられた検出器ユニット１０１は、被測定者３１が入る空間を形成するように前後に対向して配置されている。
【００１３】
前面フレーム１４１および背面フレーム１４２は、それぞれ、天井面部９および足下面部７に固定され、体表面モニタの強度を確保している。また、前面フレーム１４１の間、および、背面フレーム１４２の間に配置された検出器ユニット１０１も、体表面モニタの強度の確保に寄与している。
【００１４】
検出器ユニット１０１は、足下面部７と天井面部９、および、その間に延びた前面フレーム１４１および背面フレーム１４２によって形成されるパイプ形フレーム構造の前面部および背面部に、容易に脱着可能な方法で取り付けられている。たとえば、検出器ユニット１０１には前面フレーム１４１または背面フレーム１４２を通す穴が貫通していて、容易に前面フレーム１４１および背面フレーム１４２に支持されるように取り付け、または取り外すことができるようになっている。
【００１５】
また、足下面部７と天井面部９の間には、円柱状の入口扉回転軸１０と、円柱状の出口扉回転軸１１が延びている。入口扉回転軸１０には、入口扉４が取り付けられている。出口扉回転軸１１には、出口扉５が取り付けられている。入口扉４および出口扉５は、それぞれ、上下に配列された２つの検出器ユニット１０２を有している。
【００１６】
入口扉４および出口扉５は、それぞれ、入口扉回転軸１０および出口扉回転軸１１の周りを回動して、開閉可能なように支持されている。なお、図２の点線の矢印は、入口扉の回動方向５１および出口扉の回動方向５２を示す。
【００１７】
入口扉４および出口扉５は、それぞれが閉じた状態において、被測定者３１が入る空間を形成するように左右に対向した状態になるように配置されている。また、入口扉４および出口扉５が開いた状態では、被測定者３１が通ることができるようになっている。なお、図１、図２および図３において、入口扉４は開いた状態であり、出口扉５は閉じた状態である。
【００１８】
入口扉回転軸１０には、入口扉４よりも上方に、入口側上面部４４５が頭上面昇降機構４４７を介して取り付けられている。入口側上面部４４５は、入口扉４と同様に回動できるように支持されている。
【００１９】
また、出口扉回転軸１１には、出口扉５よりも上方に、出口側上面部４４６が頭上面昇降機構４４７を介して取り付けられている。出口側上面部４４６は、出口扉５と同様に回動できるように支持されている。
【００２０】
なお、入口側上面部４４５および出口側上面部４４６は、それぞれ入口扉４および出口扉５の回動に合わせて回動するようにしてもよい。
【００２１】
入口側上面部４４５および出口側上面部４４６は、それぞれ、入口扉回転軸１０および出口扉回転軸１１に沿って昇降する頭上面昇降機構４４７によって、昇降できるようになっている。なお、図１および図３において、入口側上面部４４５および出口側上面部４４６は、異なる高さに位置しているが、入口側上面部４４５および出口側上面部４４６は、それぞれ同じ高さになるように同期して動くようにしてもよい。
【００２２】
入口扉回転軸１０および出口扉回転軸１１は、それぞれ、天井面部９および足下面部７に固定され、体表面モニタの強度の確保に寄与している。また、入口扉回転軸１０および出口扉回転軸１１に取り付けられた検出器ユニット１０２は、入口扉回転軸１０および出口扉回転軸１１に、容易に脱着可能な方法で取り付けられていると好ましい。たとえば、検出器ユニット１０２には入口扉回転軸１０または出口扉回転軸１１を通す穴が貫通していて、容易に入口扉回転軸１０および出口扉回転軸１１に支持されるように取り付け、または取り外すことができるようにする。
【００２３】
また、前面フレーム１４１および背面フレーム１４２に取り付ける検出器ユニット１０１と、入口扉回転軸１０および出口扉回転軸１１に取り付ける検出器ユニット１０２は、同一のものを用いることもできる。なお、この場合には、前面フレーム１４１、背面フレーム１４２、入口扉回転軸１０および出口扉回転軸１１に同じ外径の円筒を用いるとよい。
【００２４】
足下面部７の上面には、放射線検出器２１が配置されている。また、入口側上面部４４５および出口側上面部４４６の下面には、頭上用放射線検出器４２１が配置されている。検出器ユニット１０１，１０２には、被測定者３１が入る空間に向かう面に、放射線検出器２１がそれぞれ配置されている。
【００２５】
このような体表面モニタ内に、被測定者３１が入ると、被測定者３１の体の周囲（前面、背面、左右側面、頭上面、左右足下面）に配置された放射線検出器２１および頭上用放射線検出器４２１によって、被測定者３１から放出される放射線が測定される。図２の一点鎖線は、被測定者３１が体表面モニタに入るときの動線４１、および、体表面モニタを出るときの動線４２の例を示すものである。測定の際には、頭上面昇降機構４４７によって頭上用放射線検出器４２１は被測定者３１の身長に合わせて、たとえば自動的に、昇降するようになっている。
【００２６】
測定された放射線の強度は、たとえばデータ処理器（図示せず）に伝達され、被測定者３１から放出される放射線の強度が許容限度以下か否かを判定する。被測定者３１から放出される放射線の強度が許容限度以下であれば、被測定者３１は体表面モニタの外に出る。許容限度以上であれば、被測定者３１の表面の除染や、より詳細な放射線の測定など、適宜必要な措置がとられることになる。
【００２７】
被測定者３１が体表面モニタに入るときには、入口側上面部４４５が動線４１を遮らない位置にあるため、被測定者３１は入口側上面部４４５にぶつかる心配をせずに体表面モニタに入ることができる。同様に、被測定者３１が体表面モニタを出るときには、出口側上面部４４６が動線４１を遮らない位置に移動しているため、被測定者３１は出口側上面部４４６にぶつかる心配をせずに体表面モニタから出ることができる。
【００２８】
このため、被測定者３１が体表面モニタに入ってから測定を開始するまでの時間と、被測定者３１が測定終了した後に退出が完了するまでの時間を短縮することができる。したがって、被測定者３１一人あたりに放射線測定に要する時間が短くなり、単位時間当たりに、より多くの被測定者の測定が可能となる。
【００２９】
さらに、入口側上面部４４５および出口側上面部４４６を、それぞれ入口扉４および出口扉５が開くときに上昇するようにしておくことにより、被測定者３１の体表面モニタへの出入がより容易になる。
【００３０】
また、被測定者３１が体表面モニタに入っていない場合には、たとえば、入口扉４を開いた状態として体表面モニタへの進入を促しつつ、出口扉５を閉じた状態にして、体表面モニタを人が通過できないようにしておいてもよい。この状態から、被測定者３１が体表面モニタ内に入ると、自動的に入口扉４が開き、自動的に放射線の測定を開始するようにしてもよい。放射線の測定が終了して、放射線の強度が許容限度以下の場合には、自動的に出口扉５を開き、被測定者３１が体表面モニタの外に出るように促すようにしてもよい。被測定者３１が体表面モニタの外に出たことを確認して、自動的に出口扉５を閉じて、入口扉４を開くことにより、放射線を測定することなく、人が体表面モニタを通過することを抑制することも可能である。
【００３１】
このように、本実施の形態の体表面モニタは、体表面モニタとして必要な放射線検出器を配置しつつ、単純な構造である。このため、分解、組み立てが容易であり、また、これに伴って、様々な調整作業や保守作業も容易になる。したがって、体表面モニタの移設は容易である。
【００３２】
なお、本実施の形態の体表面モニタは、前面フレーム１４１および背面フレーム１４２に取り付けられた検出器ユニット１０１は、それぞれ３個としているが、適宜増減してもかまわない。また、入口扉４および出口扉５も２個の検出器ユニットを有しているが、適宜増減してもかまわない。
【００３３】
また、本実施の形態では、背面フレーム１４２から前面フレーム１４１に向かって右側に入口扉４、左側に出口扉５を配置しているが、左側に入口扉４、右側に出口扉５を配置してもかまわない。入口扉回転軸１０および出口扉回転軸１１は、背面フレーム１４２に近い位置に配置しているが、前面フレーム１４１に近い位置に配置してもかまわない。
【００３４】
［第２の実施の形態］
図４は、本発明に係る第２の実施の形態における体表面モニタの斜視図である。図５は、第２の実施の形態における体表面モニタの天井面部をはずして見た上面図である。
【００３５】
第２の実施の形態の体表面モニタは、第１の実施の形態の体表面モニタを、分離可能な入口扉ユニット２４１、中央ユニット２４２および出口扉ユニット２４３に分割したものである。
【００３６】
本実施の形態では、第１の実施の形態における足下面部は、足下面入口部２７１、足下面中央部２７２、および、足下面出口部２７３に分割されている。また、第１の実施の形態における天井面部は、天井面入口部２９１、天井面中央部２９２、および、天井面出口部２９３に分割されている。
【００３７】
中央ユニット２４２は、足下面中央部２７２と天井面中央部２９２、および、これらの間に延びる前面フレーム１４１および背面フレーム１４２を有している。前面フレーム１４１および背面フレーム１４２には、検出器ユニット１０１が取り付けられている。
【００３８】
入口扉ユニット２４１は、足下面入口部２７１と天井面入口部２９１、および、これらの間に延びる入口扉回転軸１０を有している。足下面入口部２７１および天井面入口部２９１は、それぞれ足下面中央部２７２および天井面中央部２９２と着脱容易な構造で結合されている。入口扉回転軸１０には入口扉４が取り付けられている。
【００３９】
出口扉ユニット２４３は、足下面出口部２７３と天井面出口部２９３、および、これらの間に延びる出口扉回転軸１１を有している。足下面出口部２７３および天井面出口部２９３は、それぞれ足下面中央部２７２および天井面中央部２９２と着脱容易な構造で結合されている。出口扉回転軸１１には出口扉５が取り付けられている。
【００４０】
このような体表面モニタでは、適当な入口扉ユニット２４１および出口扉ユニット２４３を組合せることにより、入口扉４および出口扉５の回転軸を自由にレイアウトすることが容易になる。このため、体表面モニタを設置する建物、部屋、および、その中での体表面モニタの配置に関係なく、被測定者３１の動作に合わせて、被測定者３１の動線の最適化を図ることができる。
【００４１】
また、足下面入口部２７１、足下面出口部２７３、天上面入口部２９１および天井面出口部２９３の長手方向の２箇所に、入口扉回転軸１０および出口扉回転軸１１を取り付ける嵌合部を設けておいてもよい。これにより、入口扉回転軸１０および出口扉回転軸１１は、前面フレーム１４１の近傍および背面フレーム１４２の近傍のいずれにも配設可能となる。このようにすると、設置場所に合わせて、新たな入口扉ユニット２４１または出口扉ユニット２４３を導入する必要がなくなる。
【００４２】
このように、本実施の形態の体表面モニタの移設は容易である。また、被測定者３１の動線の最適化を図ることにより、単位時間当たりに、より多くの被測定者３１の測定が可能となる。
【００４３】
［第３の実施の形態］
図６は、本発明に係る第３の実施の形態の体表面モニタの天井面部をはずして見た上面図である。
【００４４】
本実施形態の体表面モニタは、第１の実施の形態の体表面モニタにおける前面フレーム、背面フレーム、および、これらに取り付けた検出器ユニットを、それぞれ、固定部付前面フレーム３４１、固定部付背面フレーム３４２および固定機構付検出器ユニット３０１に代えたものである。固定機構付検出器ユニット３０１には、Ｕ字型のフレーム配置部３０２が形成されている。固定部付前面フレーム３４１または固定部付背面フレーム３４２は、フレーム配置部３０２に位置している。
【００４５】
図７は、第３の実施の形態の体表面モニタの、図６におけるVII−VII矢視立断面図である。
【００４６】
並立する２本の固定部付前面フレーム３４１には、向かい合う側の反対側に、それぞれ６つのフレーム側固定部３４６が突出している。同様に、並立する２本の固定部付背面フレーム３４２にも、向かい合う側の反対側にフレーム側固定部３４６が突出している。
【００４７】
図８は、第３の実施の形態の固定機構付検出器ユニット３０１の、図９におけるVIII−VIII矢視平断面図である。図９は、第３の実施の形態の固定機構付検出器ユニット３０１の、図８におけるIX−IX矢視立断面図である。
【００４８】
固定機構付検出器ユニット３０１は、２本の固定部付背面フレーム３４２のフレーム側固定部３４６によって支持されるように、２つの検出器ユニット固定機構３４５を有している。
【００４９】
検出器ユニット固定機構３４５は、上下方向２箇所に位置する固定器具３５１を有している。それぞれの固定器具３５１は、回転支点３５２で回動可能なように支持されている。また、固定器具３５１には、位置押さえばね３５４が取り付けられており、所定の位置から回動した場合には、所定の位置に戻る力が加えられる。また、上下２箇所に位置する固定器具３５１は、上下同期器具３５３によって結合されており、これらの固定器具３５１の動きは同期するようになっている。
【００５０】
固定機構付検出器ユニット３０１を、２本の固定部付背面フレーム３４２に向かって、図８および図９の一点鎖線の矢印で示す組み込み方向６１に押し付けると、固定器具３５１は、一旦、図９の破線で示す位置３６０に回動した後、図９の実線で示した位置３５１に戻る。これによって、固定機構付検出器ユニット３０１は、フレーム側固定部３４６に引っかかり、２本の固定部付背面フレーム３４２に取り付けられる。
【００５１】
また、固定機構付検出器ユニット３０１を、固定部付背面フレーム３４２から取り外す場合には、固定器具３５１を上に持ち上げたまま、図８および図９の一点鎖線の矢印で示す組み込み方向６１の反対方向に押し出すことによって、取り外すことができる。上下２箇所に位置する固定器具３５１は同期して動くため、左右２つの固定器具３５１を上に持ち上げることによって、４つの固定器具３５１をフレーム側固定部３４６から取り外すことができる。
【００５２】
同様にして、２本の固定部付前面フレーム３４１に対しても、固定機構付検出器ユニット３０１を取り付け、取り外すことができる。
【００５３】
このように、本実施の形態において、固定機構付検出器ユニット３０１は容易に着脱可能である。また、この着脱には専用の工具を準備する必要もない。このため、体表面モニタ本体の解体および組立てが簡単であり、体表面モニタは容易に移設することができる。
【００５４】
［第４の実施の形態］
図１０は、本発明に係る第４の実施の形態の体表面モニタの斜視図である。
【００５５】
本実施の形態の体表面モニタは、第１の実施の形態の体表面モニタに側面用小型放射線検出器５４８を追加したものである。
【００５６】
側面用小型放射線検出器５４８は、入口扉回転軸１０および出口扉回転軸１１に、入口側頭上面部４４５または出口側頭上面部の下方で、入口扉４または出口扉５の上方に位置するように取り付けられている。２つの側面用小型放射線検出器５４８、入口側頭上面部４４５および出口側頭上面部で囲まれる空間は、被測定者の頭に干渉しない程度の大きさを有している。側面用小型放射線検出器５４８は、被測定者の頭に向かう面に小型の放射線検出器を有している。
【００５７】
この体表面モニタは、側面用小型放射線検出器５４８によって、被測定者の側頭部付近の汚染測定を行うことができるため、被測定者の身体面の汚染をより効率よく測定することができる。
【００５８】
［第５の実施の形態］
図１１は、本発明に係る第５の実施の形態の体表面モニタの斜視図である。図１２は、第５の実施の形態の体表面モニタの天井面部をはずして見た上面図である。
【００５９】
本実施の形態の体表面モニタは、第１の実施の形態の体表面モニタの入口側頭上面部および出口側頭上面部を、入口側頭部測定部６６１および出口側頭部測定部６６２に代えたものである。
【００６０】
入口側頭部測定部６６１は、入口扉回転軸１０に、頭上面昇降機構４４７を介して入口扉４よりも上方に位置するように取り付けられている。また、出口側頭部測定部６６２は、出口扉回転軸１１に、出口扉５上方に位置するように取り付けられている。
【００６１】
入口側頭部測定部６６１は、頭上面昇降機構４４７に取り付けられた側当面入口側部６４９と、側当面入口側部６４９の上端に取り付けられた側頭面入口側付頭上面部６５１を有している。出口側頭部測定部６６２は、頭上面昇降機構４４７に取り付けられた側当面出口側部６５０と、側当面出口側部６５０の上端に取り付けられた側頭面出口側付頭上面部６５２を有している。
【００６２】
側当面入口側部６４９および側当面出口側部６５０は、被測定者３１の頭部に向かう面に側頭面用放射線検出器６２１を備えている。側頭面入口側付頭上面部６５１および側頭面出口側付頭上面部６５２は、下面に頭上用放射線検出器４２１を備えている。
【００６３】
入口側頭部測定部６６１および出口側頭部測定部６６２で囲まれる空間は、被測定者３１の頭に干渉しない程度の大きさを有している。
【００６４】
この体表面モニタは、被測定者３１の側頭部の汚染を計測する側頭面入口側部６４９および側当面出口側部６５０が、頭上面昇降機構４４７によって上下するため、被測定者３１の身長に合わせて適切な位置に移動する。したがって、被測定者３１の側頭部の汚染をより効率的に、精度よく測定することができる。
【００６５】
なお、以上の説明は単なる例示であり、本発明は上述の各実施の形態に限定されず、様々な形態で実施することができる。また、各実施の形態の特徴を組み合わせて実施することもできる。
【図面の簡単な説明】
【００６６】
【図１】本発明に係る第１の実施の形態における体表面モニタの斜視図である。
【図２】本発明に係る第１の実施の形態における体表面モニタの天井面部をはずして見た上面図である。
【図３】本発明に係る第１の実施の形態における体表面モニタの側面図である。
【図４】本発明に係る第２の実施の形態における体表面モニタの斜視図である。
【図５】本発明に係る第２の実施の形態における体表面モニタの天井面部をはずして見た上面図である。
【図６】本発明に係る第３の実施の形態の体表面モニタの天井面部をはずして見た上面図である。
【図７】本発明に係る第３の実施の形態の体表面モニタの、図６におけるVII−VII矢視立断面図である。
【図８】本発明に係る第３の実施の形態の固定機構付検出器ユニットの、図９におけるVIII−VIII矢視平断面図である。
【図９】本発明に係る第３の実施の形態の固定機構付検出器ユニットの、図８におけるIX−IX矢視立断面図である。
【図１０】本発明に係る第４の実施の形態の体表面モニタの斜視図である。
【図１１】本発明に係る第５の実施の形態の体表面モニタの斜視図である。
【図１２】本発明に係る第５の実施の形態の体表面モニタの天井面部をはずして見た上面図である。
【符号の説明】
【００６７】
４…入口扉、５…出口扉、７…足下面部、９…天井面部、１０…入口扉回転軸、１１…出口扉回転軸、２１…放射線検出器、３１…被測定者、１０１，１０２…検出器ユニット、１４１…前面フレーム、１４２…背面フレーム、２４１…入口扉ユニット、２４２…中央ユニット、２４３…出口扉ユニット、２７１…足下面入口部、２７２…足下面中央部、２７３…足下面出口部、２９１…天井面入口部、２９２…天井面中央部、２９３…天井面出口部、３０１…固定機構付検出器ユニット、３４１…固定部付前面フレーム、３４２…固定部付背面フレーム、３４５…検出器ユニット固定機構、３４６…フレーム側固定部、３５１…固定器具、３５２…回転支点、３５３…上下同期器具、３５４…位置押さえばね、４２１…頭上用放射線検出器、４４５…入口側頭上面部、４４６…出口側頭上面部、４４７…頭上面昇降機構、５４８…側面用小型放射線検出器、６２１…側頭面用放射線検出器、６４９…側頭面入口側部、６５０…側頭面出口側部、６５１…側頭面入口側付頭上面部、６５２…側頭面出口側付頭上面部、６６１…入口側頭部測定部、６６２…出口側頭部測定部
【図１】
0004810274.tif 000002
【図２】
0004810274.tif 000003
【図３】
0004810274.tif 000004
【図４】
0004810274.tif 000005
【図５】
0004810274.tif 000006
【図６】
0004810274.tif 000007
【図７】
0004810274.tif 000008
【図８】
0004810274.tif 000009
【図９】
0004810274.tif 000010
【図１０】
0004810274.tif 000011
【図１１】
0004810274.tif 000012
【図１２】
0004810274.tif 000013